(57)【要約】      （修正有）【課題】  高精度での位置決め可能な光ピックアップ移動機構を提供する。【解決手段】  ピックアップユニット５の移動方向に対して、軸方向を傾斜させて搬送モータ７を取り付け、該モータ軸にウォームギヤ８を設け、ウォームギヤに連結される歯車によりピックアップユニット５を駆動する。ドライブユニット４の上下移動およびトレイ３の移動も前記モータ７とウォームギヤを用いる。本構成により、ギヤ比を大きく出来るので高精度の位置決めが出来る。更にウォームギアの進み角を１５°から３０°の間とすることにより、モータ軸がロックされず、トレイを手動でなめらかにクローズすることが出来る。【選択図】  図１
2005216383.tif 000002
【特許請求の範囲】
【請求項１】
装置本体に固定のシャーシに対して移動してディスクを搬送するトレイと、前記シャーシに対して前記トレイの搬送方向と略直交する方向に移動して前記トレイ上のディスクを係脱するドライブユニットと、前記ドライブユニットに設けられるとともにディスクの記録または再生を行う光ピックアップを有してディスクの径方向に移動するピックアップユニットと、前記ドライブユニットに配されるとともに前記ドライブユニットと前記ピックアップユニットと前記トレイとを複数のギヤの伝達により駆動するモータと、を備えたディスク装置において、
前記ピックアップユニットの移動方向に対して軸方向を傾斜して配置した前記モータのモータ軸に進み角が１５゜〜３０゜のウォームギヤを設けるとともにウォームホイル及び平ギヤから成る複数段ギヤを介して前記ウォームギヤに連結される前記トレイの送り量を前記ウォームギヤ１回転当たり１．５ｍｍ〜２．５ｍｍにし、前記ドライブユニットに配されたギヤに噛合して前記シャーシに配されるギヤの歯幅を１５ｍｍ〜３０ｍｍにしたことを特徴とするディスク装置。
【請求項２】
装置本体に固定のシャーシに対して移動してディスクを搬送するトレイと、前記シャーシに対して前記トレイの搬送方向と略直交する方向に移動して前記トレイ上のディスクを係脱するドライブユニットと、前記ドライブユニットに設けられるとともにディスクの記録または再生を行う光ピックアップを有してディスクの径方向に移動するピックアップユニットと、前記ドライブユニットに配されて前記ドライブユニットと前記ピックアップユニットと前記トレイとを複数のギヤの伝達により駆動するモータと、を備えたディスク装置において、
前記モータのモータ軸にウォームギヤを設け、前記ウォームギヤの進み角を１５゜〜３０゜にしたことを特徴とするディスク装置。
【請求項３】
前記ウォームギヤ１回転当たりの前記ピックアップユニットの移動量を０．６ｍｍ〜１．２ｍｍにしたことを特徴とする請求項２に記載のディスク装置。
【請求項４】
前記ウォームギヤと前記ウォームギヤに噛合するウォームホイルとの伝達効率を１３％〜２８％にしたことを特徴とする請求項２又は請求項３に記載のディスク装置。
【請求項５】
前記ウォームギヤ１回転当たりの前記トレイの送り量を１．５ｍｍ〜２．５ｍｍにしたことを特徴とする請求項２〜請求項４のいずれかに記載のディスク装置。
【請求項６】
前記ドライブユニットに配されたギヤに噛合して前記シャーシに配されるギヤの歯幅を１５ｍｍ〜３０ｍｍにしたことを特徴とする請求項２〜請求項５のいずれかに記載のディスク装置。
【請求項７】
前記ピックアップユニットの移動方向に対して軸方向を傾斜して前記モータを配置したことを特徴とする請求項２〜請求項６のいずれかに記載のディスク装置。
【請求項８】
前記シャーシに配されて前記ピックアップユニットの移動方向に対して直交する方向に移動できるカムスライダと、前記ドライブユニットに取り付けられて前記カムスライダとのカム係合により前記ドライブユニットを昇降させるプレートトリガとを設け、前記プレートトリガ及び前記カムスライダがそれぞれ前記モータに連結されるギヤに噛合して一体に移動できることを特徴とする請求項１〜請求項７のいずれかに記載のディスク装置。
【請求項９】
前記ウォームギヤの進み角を１７゜〜３０゜にしたことを特徴とする請求項１〜請求項８のいずれかに記載のディスク装置。
【請求項１０】
前記モータ軸が、前記トレイの移動方向に対してピックアップユニット側に傾斜するように前記モータを配置したことを特徴とする請求項１〜請求項９のいずれかに記載のディスク装置。
【請求項１１】
前記モータ軸が、水平方向に対して下向きに傾斜するように前記モータを配置したことを特徴とする請求項１０に記載のディスク装置。
【発明の詳細な説明】
【技術分野】
【０００１】
本発明は、ＣＤ、ＣＤ−Ｒ、ＤＶＤ、ＤＶＤ−Ｒ等のディスクの記録または再生を行うディスク装置に関し、特に、ディスク装置の駆動機構に関する。
【背景技術】
【０００２】
従来のディスク装置は特許文献１に開示されている。このディスク装置はディスクを搬送するトレイと、トレイの搬送方向に略垂直な方向に昇降可能なドライブユニットとが装置本体に設けられる。ドライブユニットにはディスクの記録または再生を行う光ピックアップを有したピックアップユニットと、ピックアップユニットをディスクの径方向に移動させるモータとが設けられる。
【０００３】
モータには複数の平ギヤから成る伝達手段が取り付けられ、モータの駆動力を減速して伝達する。伝達手段がピックアップユニットに形成されたラックと噛合することにより、モータによってピックアップユニットが移動できるようになっている。
【０００４】
また、伝達手段は装置本体側に配された昇降手段と噛合可能になっている。昇降手段はドライブユニットとカム係合し、トレイの搬送方向及びドライブユニットの昇降方向と略直交する方向に移動できる。これにより、ドライブユニットが昇降する。更に、伝達手段はトレイに形成されたラックと噛合可能になっており、所定の時期に伝達手段とトレイとが連結してモータの駆動力がトレイに伝達されるようになっている。
【０００５】
上記構成のドライブ装置において、トレイにディスクが載置されるとモータの駆動によりトレイがディスク装置内に搬送される。トレイが所定位置に配されるとトレイと伝達手段との連結が解除され、昇降手段と伝達手段とが連結される。昇降手段はトレイの搬送方向に垂直な方向に移動し、ドライブユニットを上昇させる。これにより、ディスクがドライブユニットと係合してチャックされる。
【０００６】
ディスクがチャックされると、伝達手段と昇降手段との連結が解除され、伝達手段はピックアップユニットと連結される。これにより、ピックアップユニットがディスクの径方向へ移動可能になり、ディスクの所定位置で記録または再生を行うことができる。また、ディスクを取り出す際には上記と逆の動作が行われる。
【特許文献１】特開２０００−１１５１１号公報（第３頁〜第５頁、第１図）
【発明の開示】
【発明が解決しようとする課題】
【０００７】
しかしながら、上記従来のディスク装置によると、モータのモータ軸には平歯車が取り付けられて伝達手段が構成されるため、ギヤ比を大きくすることができない。このため、光ピックアップを所定位置に高精度で位置決めするために多数の減速ギヤを設ける必要があり、ディスクユニットが大型になる問題があった。
【０００８】
本発明は、光ピックアップの位置決め精度が高く小型化が可能なディスク装置を提供することを目的とする。
【課題を解決するための手段】
【０００９】
上記目的を達成するために本発明は、装置本体に固定のシャーシに対して移動してディスクを搬送するトレイと、前記シャーシに対して前記トレイの搬送方向と略直交する方向に移動して前記トレイ上のディスクを係脱するドライブユニットと、前記ドライブユニットに設けられるとともにディスクの記録または再生を行う光ピックアップを有してディスクの径方向に移動するピックアップユニットと、前記ドライブユニットに配されるととも
に前記ドライブユニットと前記ピックアップユニットと前記トレイを複数のギヤの伝達により駆動するモータとを備えたディスク装置において、
前記ピックアップユニットの移動方向に対して軸方向を傾斜して配置した前記モータのモータ軸に進み角が１５゜〜３０゜のウォームギヤを設けるとともにウォームホイル及び平ギヤから成る複数段ギヤを介して前記ウォームギヤに連結される前記トレイの送り量を前記ウォームギヤ１回転当たり１．５ｍｍ〜２．５ｍｍにし、前記ドライブユニットに配されたギヤに噛合して前記シャーシに配されるギヤの歯幅を１５ｍｍ〜３０ｍｍにしたことを特徴としている。
【００１０】
また本発明は、装置本体に固定のシャーシに対して移動してディスクを搬送するトレイと、前記シャーシに対して前記トレイの搬送方向と略直交する方向に移動して前記トレイ上のディスクを係脱するドライブユニットと、前記ドライブユニットに設けられるとともにディスクの記録または再生を行う光ピックアップを有してディスクの径方向に移動するピックアップユニットと、前記ドライブユニットに配されて前記ドライブユニットと前記ピックアップユニットと前記トレイを複数のギヤの伝達により駆動するモータとを備えたディスク装置において、
前記モータのモータ軸にウォームギヤを設け、前記ウォームギヤの進み角を１５゜〜３０゜にしたことを特徴としている。
【００１１】
この構成によると、ディスクを装着する際にはモータを駆動するとディスクを載置したトレイがギヤの伝達により搬送される。トレイが所定位置に配されると、モータの駆動によりドライブユニットが上昇してディスクと係合し、ディスクがチャックされる。ディスクがチャックされると、モータの駆動によりピックアップユニットがディスクの径方向に移動する。これにより、光ピックアップによってディスクの記録または再生が可能になる。ディスクを脱着する際には上記と逆の動作が行われる。モータにはモータ軸に進み角が１５゜〜３０゜のウォームギヤが取付けられている。ウォームギヤの進み角が３０°を超えると、ギヤ比が小さすぎて動作の制御が困難になる。ウォームギヤの進み角が１５°未満だと、トレイを手動で押圧した際にモータ軸でロックが発生し回転させることができず、手動でトレイをクローズすることができなくなる。より詳しくは、進み角が１７°未満になると、手動でトレイをスムーズにクローズすることが困難になる。
【００１２】
また本発明は、装置本体に固定のシャーシに対して移動してディスクを搬送するトレイと、前記シャーシに対して前記トレイの搬送方向と略直交する方向に移動して前記トレイ上のディスクを係脱するドライブユニットと、前記ドライブユニットに設けられるとともにディスクの記録または再生を行う光ピックアップを有してディスクの径方向に移動するピックアップユニットと、前記ドライブユニットに配されて前記ドライブユニットと前記ピックアップユニットと前記トレイを複数のギヤの伝達により駆動するモータとを備えたディスク装置において、
前記モータのモータ軸にウォームギヤを設け、前記ウォームギヤ１回転当たりの前記ピックアップユニットの移動量を０．６ｍｍ〜１．２ｍｍにしたことを特徴としている。
【００１３】
この構成によると、モータにはモータ軸にウォームギヤが取付けられ、ウォームギヤ１回転当たりのピックアップユニットの移動量を１．２ｍｍ以下にすることによりギヤ比を大きくして高精度に光ピックアップを位置決めできる。また、０．６ｍｍ以上にすることによって光ピックアップの位置決め時等のモータの回転量を増大させずモータの電力消費を抑制することができる。
【００１４】
また本発明は、装置本体に固定のシャーシに対して移動してディスクを搬送するトレイと、前記シャーシに対して前記トレイの搬送方向と略直交する方向に移動して前記トレイ上のディスクを係脱するドライブユニットと、前記ドライブユニットに設けられるととも
にディスクの記録または再生を行う光ピックアップを有してディスクの径方向に移動するピックアップユニットと、前記ドライブユニットに配されて前記ドライブユニットと前記ピックアップユニットと前記トレイを複数のギヤの伝達により駆動するモータとを備えたディスク装置において、
前記モータのモータ軸にウォームギヤを設け、前記ウォームギヤと前記ウォームギヤに噛合するウォームホイルとの伝達効率を１３％〜２８％にしたことを特徴としている。
【００１５】
この構成によると、モータにはモータ軸にウォームギヤが取付けられ、ウォームギヤとウォームギヤに噛合するウォームホイルとの伝達効率を２８％以下にすることによりギヤ比を大きくして高精度に光ピックアップを位置決めできる。また、１３％以上にすることによってトレイを手動で押圧した際にモータ軸をスムーズに回転させることができる。
【００１６】
また本発明は、上記構成のディスク装置において、前記ウォームギヤ１回転当たりの前記トレイの送り量を１．５ｍｍ〜２．５ｍｍにしたことを特徴としている。
【００１７】
また本発明は、上記構成のディスク装置において、前記ドライブユニットに配されたギヤに噛合して前記シャーシに配されるギヤの歯幅を１５ｍｍ〜３０ｍｍにしたことを特徴としている。この構成によると、ドライブユニットに設けられる最終段のギヤがシャーシに設けられるギヤと噛合しながらドライブユニットがシャーシに対して昇降する。
【００１８】
また本発明は、上記構成のディスク装置において、前記ピックアップユニットの移動方向に対して軸方向を傾斜して前記モータを配置したことを特徴としている。
【００１９】
また本発明は、上記構成のディスク装置において、前記シャーシに配されて前記ピックアップユニットの移動方向に対して直交する方向に移動できるカムスライダと、前記ドライブユニットに取り付けられて前記カムスライダとのカム係合により前記ドライブユニットを昇降させるプレートトリガとを設け、前記プレートトリガ及び前記カムスライダがそれぞれ前記モータに連結されるギヤに噛合して一体に移動できることを特徴としている。
【００２０】
この構成によると、例えばピックアップユニットとプレートトリガとがカム係合してプレートトリガが移動し、プレートトリガと一体にカムスライダが移動してカムスライダがギヤと噛合可能になる。そして、ギヤ駆動によってカムスライダが移動することにより、プレートトリガを介してカムスライダにカム係合するドライブユニットが降下する。この時、所定の期間だけプレートトリガはギヤに噛合してカムスライダと一体に移動してプレートトリガとカム係合するピックアップユニットがロックされる。
【発明の効果】
【００２１】
本発明によると、モータのモータ軸にウォームギヤを設けているので、ギヤ比を大きくとることができる。このため、多数のギヤによる減速を必要とせずにピックアップユニットを高精度に位置決めすることができる。従って、ディスク装置の小型化を図ることができる。
【００２２】
また、ウォームギヤの進み角を３０゜以下にすることによりギヤ比を大きくして高精度に光ピックアップを位置決めできるとともに、１５゜以上にすることによってトレイを手動で押圧した際にモータ軸がロックされず、スムーズに回転させることができる。
【００２３】
また、ウォームギヤの１回転当たりのピックアップユニットの移動量を１．２ｍｍ以下にすることによりギヤ比を大きくして高精度に光ピックアップを位置決めできるとともに、０．６ｍｍ以上にすることによって光ピックアップの位置決め時等にモータの回転量を増大させずモータの電力消費を抑制することができる。
【００２４】
また、ウォームギヤとウォームギヤに噛合するウォームホイルとの伝達効率を２８％以下にすることによりギヤ比を大きくして高精度に光ピックアップを位置決めできるとともに、１３％以上にすることによってトレイを手動で押圧した際にモータ軸がロックされず、スムーズに回転させることができる。
【００２５】
また、ウォームギヤの１回転当たりのトレイの送り量を１．５ｍｍ以上にすることによってトレイを手動で押圧した際にモータ軸がロックされないようにウォームギヤの進み角や伝達効率を設定することができるとともに、２．５ｍｍ以下にすることによってギヤ比を大きくとることができ、モータの電力消費を抑制することができる。
【００２６】
また、ドライブユニットに配されたギヤに噛合してシャーシに配されるギヤの歯幅を通常のドライブユニットの昇降距離である１５ｍｍ〜３０ｍｍにしているので、簡単な構成でドライブユニットの昇降とトレイの搬送とを行うことができる。
【００２７】
また本発明によると、ピックアップユニットの移動方向に対してモータの軸方向を傾斜しているので、ドライブユニットのデッドスペースを削減してディスク装置の小型化を図ることができる。
【００２８】
また本発明によると、プレートトリガ及びカムスライダがそれぞれ前記モータに連結されるギヤに噛合して一体に移動できるので、プレートトリガと係合するピックアップユニットをロックした後にドライブユニットを昇降させることができる。これにより、輸送中等のピックアップユニットの揺動による事故を防止できる。
【発明を実施するための最良の形態】
【００２９】
以下に本発明の実施形態を図面を参照して説明する。図１は一実施形態のディスク装置を示す平面図である。ディスク装置１にはシャーシ（不図示）が固定されている。シャーシには、シャーシに対してＹ方向に移動してディスクを搬送するトレイ３と、Ｚ方向（紙面に垂直方向）に移動可能なドライブユニット４が取付けられる。
【００３０】
ドライブユニット４にはチャック部２０が設けられており、Ｚ方向の移動によってトレイ３に載置されたディスクの孔部と係脱してディスクをチャックできるようになっている。また、ドライブユニット４には光ピックアップ６を有するピックアップユニット５がチャック部２０の中心線上に設けられる。ピックアップユニット５はＹ方向に移動して光ピックアップ６によるディスクの記録または再生が行われる。
【００３１】
ピックアップユニット５の側部にはモータ７及びモータの駆動力を伝達する複数のギヤから成る伝達部１５が配される。モータ７のモータ軸７ａはＹ方向に対して１０゜〜２０゜傾斜して配される。これにより、ドライブユニット４のデッドスペースを削減してドライブユニット４の小型化を図ることができるようになっている。
【００３２】
モータ軸７ａには進み角が１５゜〜３０゜のウォームギヤ８が取付けられる。ウォームギヤ８には２段ギヤから成る減速ギヤ９の下段のウォームホイル９ａが噛合する。減速ギヤ９の上段の平ギヤ９ｂはピックアップユニット５に形成されたラック５ａに噛合可能になっている。これにより、モータ７によりピックアップユニット５が駆動される。
【００３３】
ウォームホイル９ａは２段ギヤから成る減速ギヤ１０の下段のウォームホイル１０ａに噛合し、減速ギヤ１０の上段の平ギヤ１０ｂ及び平ギヤ１１を介して平ギヤ１２に連結される。平ギヤ１２は後述するようにプレートトリガ１７の三角歯１７ｃ（図２参照）と噛合できる。
【００３４】
平ギヤ１２は平ギヤ１３を介して２段ギヤから成るトレイギヤ１４の下段の平ギヤ１４ａに連結される。トレイギヤ１４はシャーシに取付けられ、上段の平ギヤ１４ｂはトレイ３に形成されたラック３ａに噛合可能になっている。これにより、モータ７によってトレイ３が駆動される。
【００３５】
ドライブユニット４の端部にはカム突起１７ａを有するプレートトリガ１７がＸ方向に移動可能に配されている。プレートトリガ１７は三角歯１７ｃ（図２参照）を有し、平ギヤ１２に噛合可能になっている。また、プレートトリガ１７にはピックアップユニット５に設けられるボス５ｂと係合するカム溝１７ｂが形成される。
【００３６】
ボス５ｂとカム溝１７ｂとの係合によって、ピックアップユニット６が図中、下方に移動するとプレートトリガ１７が図中、右方に移動する。また、プレートトリガ１７が図中、左方に移動すると、平ギヤ９ｂとラック５ａとが歯合して、ピックアップユニット６が図中、上方に移動する。
【００３７】
プレートトリガ１７に対向してシャーシにはカムスライダ１８が配されている。カムスライダ１８はラック１８ａがトレイギヤ１４の下段の平ギヤ１４ａに噛合してモータ７によってＸ方向に移動可能になっている。カムスライダ１８にはカム突起１７ａと係合するカム溝１８ｄ（図７参照）が形成されている。
【００３８】
カムスライダ１８がＸ方向に移動することによってプレートトリガ１７とともにドライブユニット４がＺ方向に昇降できる。また、カムスライダ１８にはボス１８ｂ、１８ｃが突設され、トレイ３のカム溝３ｂ、３ｃに係合してトレイ３をＹ方向に移動させることができる。
【００３９】
上記構成のディスク装置１において、ディスクを脱着する際の動作について説明する。図２はディスクを載置したトレイ３がディスク装置１内に搬送された状態のディスク装置１の要部を示す平面図である。また、図３、図４はこの時のディスク装置１の側面図及び正面図を示している。
【００４０】
モータ７のモータ軸７ａに取付けられたウォームギヤ８の回転によってドライブユニット４（図１参照）に配された伝達部１５の各ギヤ及びシャーシ（不図示）に設けたトレイギヤ１４を回転駆動する。ディスクがディスク装置１の内部に配された状態ではウォームギヤ８に噛合するウォームホイル９ａと一体の平ギヤ９ｂがピックアップユニット５のラック５ａに噛合する。これにより、モータ７の正逆回転によりピックアップユニット５がディスクの径方向（Ｙ方向）に往復運動して光ピックアップ６が所定位置に配される。
【００４１】
この時、ピックアップユニット５のボス５ｂとプレートトリガ１７のカム溝１７ｂとの係合は解除され、プレートトリガ１７の三角歯１７ｃと平ギヤ１２との噛合は解除されている。また、カムスライダ１８のラック１８ａとトレイギヤ１４との噛合は解除され、トレイギヤ１４とトレイ３のラック３ａ（図１参照）との噛合も解除されている。
【００４２】
そして、図４においてカムスライダ１８が相対的に左方に配置されており、プレートトリガ１７のカム突起１７ａとカムスライダ１８のカム溝１８ｄとの係合により図３、図４に示すようにシャーシに対してドライブユニット４の一端が上昇した状態になっている。これにより、ディスクがチャック部２０（図１参照）と係合してチャックされている。
【００４３】
ディスクを搬出する際には図２においてウォームホイル９ａを図中、反時計回りに回転するとピックアップユニット５がプレートトリガ１７の方向に移動する。図５に示すよう
に、ピックアップユニット５のボス５ａがプレートトリガ１７のカム溝１７ｂと係合すると、カム溝１７ｂの案内によりプレートトリガ１７が図中、右方に移動する。
【００４４】
これにより、プレートトリガ１７の三角歯１７ｃが平ギヤ１２と噛合を開始し、減速ギヤ９の平ギヤ９ｂとラック５ａの噛合が解除される。プレートトリガ１７の移動により、カム突起１７ａはカムスライダ１８のカム溝１８ｄの一端部１８ｅ（図４参照）に当接する。
【００４５】
カムスライダ１８はプレートトリガ１７と一体に移動し、ラック部１８ａがトレイギヤ１４の平ギヤ１４ａに噛合する。これにより、プレートトリガ１７及びカムスライダ１８はそれぞれ平ギヤ１２及びトレイギヤ１４の駆動により移動する。この時、プレートトリガ１７及びカムスライダ１８が同じ速度で移動するように各ギヤの歯数が決められている。
【００４６】
平ギヤ１２の駆動によりプレートトリガ１７のカム溝１７ｂの端部にピックアップユニット５のボス５ａが配置されると、図１に示すようにピックアップユニット５のＹ方向の移動がロックされる。更にモータ７が回転すると平ギヤ１２と三角歯１７ｃの噛合が解除され、トレイギヤ１４によってカムスライダ１８が単独でＸ方向に移動する。
【００４７】
これにより、プレートトリガ１７のカム突起１７ａがカムスライダ１８のカム溝１８ｄに案内され、図６、図７に示すようにドライブユニット４が回動して一端が下降する。その結果、ディスクとチャック部２０（図１参照）との係合が解除され、ディスクのチャックが解除される。
【００４８】
従って、プレートトリガ１７とカムスライダ１８とを平ギヤ１２及びトレイギヤ１４によって一体に移動させることにより、ピックアップユニット５をロックした後にドライブユニット４を下降させることができる。これにより、輸送中等のピックアップユニット５の揺動による事故を防止できるようになっている。
【００４９】
更にカムスライダ１８が移動すると、カムスライダ１８のボス１８ｂ、１８ｃがトレイ３のカム溝３ｂ、３ｃに案内され、トレイ３が図１の図中、下方に押し出される。これにより、トレイ３のラック３ａとトレイギヤ１４の平ギヤ１４ｂとが噛合を開始するとともにトレイギヤ１４の平ギヤ１４ａとカムスライダ１８の噛合が解除される。そして、トレイギヤ１４の回転によってトレイ３が搬出される。
【００５０】
トレイ３を搬入する際には、トレイ３を手動で押圧するとトレイ３のラック３ａ、トレイギヤ１４、伝達部１５、ウォームギヤ８を介してモータ軸７ａが回転する。これにより、トレイ３の搬入動作開始を検知してモータ７が駆動され、上記と逆の動作によってトレイ３が搬入される。
【００５１】
本実施形態によると、モータ７に連結される各ギヤの初段にウォームギヤ８を設けているので、ギヤ比を大きくとることができる。このため、多数のギヤによる減速を必要とせず、ウォームホイル９ａ及び平ギヤ９ｂから成る減速ギヤ９を介するだけでピックアップユニット５を高精度に位置決めすることができる。従って、ディスク装置１の小型化を図ることができる。
【００５２】
ウォームギヤ８は進み角を１５゜〜３０゜にするとより望ましい。３０゜以下にすることによりギヤ比を大きくして高精度に光ピックアップを位置決めできる。また、１５゜以上にすることによってトレイ３を手動で押圧した際にモータ軸７ａがロックされず、スムーズに回転させることができる。
ウォームギヤ８の進み角とトレイをクローズするのに要する力（トレイクローズ力）との関係を図８に示す。図８から明らかなように、進み角が１７〜１８°以下になると、トレイクローズ力が急激に上昇する。進み角が１５°未満の領域では、トレイを手動でクローズすることができなくなる。
【００５３】
また、ウォームギヤ８の１回転当たりのピックアップユニット５の移動量を０．６ｍｍ〜１．２ｍｍにしてもよい。１．２ｍｍ以下にすることによりギヤ比を大きくして高精度に光ピックアップ６を位置決めできる。また、０．６ｍｍ以上にすることによって光ピックアップ６の位置決め時等にモータ７の回転量を増大させずモータ７の電力消費を抑制することができる。
【００５４】
また、ウォームギヤ８とウォームホイル９ａとの伝達効率を１３％〜２８％にしてもよい。２８％以下にすることによりギヤ比を大きくして高精度に光ピックアップを位置決めできる。また、１３％以上にすることによってトレイ３を手動で押圧した際にモータ軸７ａがロックされず、スムーズに回転させることができる。
【００５５】
また、ウォームギヤ８の１回転当たりのトレイ３の送り量を１．５ｍｍ〜２．５ｍｍにするとより望ましい。１．５ｍｍ以上にすることによってトレイ３を手動で押圧した際にモータ軸７ａがロックされないようにウォームギヤ８の進み角や伝達効率を設定することができる。また、２．５ｍｍ以下にすることによってギヤ比を大きくとることができ、モータ７の電力消費を抑制することができる。
【００５６】
また、トレイギヤ１４の下段の平ギヤ１４ａの歯幅Ｗ（図６参照）を通常のドライブユニット４の昇降距離である１５ｍｍ〜３０ｍｍにすることによって、ドライブユニット４に配された最終段の平ギヤ１３がシャーシに設けられるトレイギヤ１４と噛合しながらドライブユニット４がシャーシに対して昇降する。これにより、簡単な構成でドライブユニット４の昇降とトレイ３の搬送とを行うことができる。
【００５７】
以下に本発明の実施例を説明する。表１は第１実施例のディスク装置１の各ギヤの諸元を示している。
【００５８】
【表１】
2005216383.tif 000003
【００５９】
ウォームギヤ８の進み角は１７．４５８゜になっており、ウォームギヤ８の１回転当たりのピックアップユニット５の送り量（平ギヤ９ｂの回転量）は０．７３３ｍｍになっている。これにより、光ピックアップ６を高精度に位置決め可能である。
【００６０】
また、プレートトリガ１７の送り速度及びカムスライダの送り速度はいずれもウォームギヤ８の１回転当たり１．２４８ｍｍ（平ギヤ１２、１４ａの回転量）になっている。これにより、プレートトリガ１７及びカムスライダ１８が同じ速度で一体に移動できる。
【００６１】
また、ウォームギヤ８の１回転当たりのトレイ３の送り量（平ギヤ１４ｂの回転量）は１．７８３ｍｍになっている。これにより、モータ７の電力消費を抑制してトレイ３を搬送することができる。
【００６２】
表２は第２実施例のディスク装置１の各ギヤの諸元を示している。
【００６３】
【表２】
2005216383.tif 000004
【００６４】
ウォームギヤ８の進み角は２０．２５２゜になっており、ウォームギヤ８の１回転当た
りのピックアップユニット５の送り量（平ギヤ９ｂの回転量）は０．７３３ｍｍになっている。これにより、光ピックアップ６を高精度に位置決め可能である。
【００６５】
また、プレートトリガ１７の送り速度及びカムスライダの送り速度はいずれもウォームギヤ８の１回転当たり１．３０１ｍｍ（平ギヤ１２、１４ａの回転量）になっている。これにより、プレートトリガ１７及びカムスライダ１８が同じ速度で一体に移動できる。
【００６６】
また、ウォームギヤ８の１回転当たりのトレイ３の送り量（平ギヤ１４ｂの回転量）は１．８５８ｍｍになっている。これにより、モータ７の電力消費を抑制してトレイ３を搬送することができる。
【００６７】
次に、図９に基づいて、本発明の第２実施形態を説明する。図９（ａ）は、図９（ｂ）におけるＡ−Ａ断面図、図９（ｂ）はディスク装置の平面図である。なお、図１〜図７に示した第1実施形態と同様な部材には、同一符号を付して説明を省略する。
【００６８】
このディスク装置１０１では、図１に示した減速ギヤ１０および平ギヤ１２が省略されている。そして、図１に示した２段ギヤから成る減速ギヤ９の代わりに図９（ａ）に示すように３段ギヤからなる減速ギヤ１０９を用い、図１に示した平ギヤ１１、１３の代わりに、図９（ｂ）に示すような平ギヤ１１１、１１３を用いている。
このディスク装置１０１では、モータ７のモータ軸７ａおよびウォームギヤ８が、Ｙ方向に対して約−５５°〜７０°傾斜している。すなわち、モータ軸７ａおよびギヤ８が、平面視においてピックアップユニット５側に傾斜している。図９（ｂ）に示すように、モータ軸７ａおよびウォームギヤ８は、Ｙ方向に対して時計回りの方向に傾斜している。図１に示したディスク装置１では、モータ軸７ａおよびウォームギヤ８が、Ｙ方向に対して反時計回りの方向に傾斜していた。
【００６９】
更に、このディスク装置１０１では、モータ軸７ａおよびウォームギヤ８が、図９（ａ）に示すように水平方向に対して下向きに傾斜しており、ウォームギヤ８が、３段ギヤからなる減速ギヤ１０９の最下段のギヤに歯合している。
このディスク装置１０１によれば、部品点数を減らすことができ、装置を小型化できる。
【産業上の利用可能性】
【００７０】
本発明は、ＣＤ、ＣＤ−Ｒ、ＤＶＤ、ＤＶＤ−Ｒ等のディスクの記録または再生を行うディスク装置に関し、特に、ディスク装置の駆動機構に利用することができる。
【図面の簡単な説明】
【００７１】
【図１】本発明の実施形態のディスク装置を示す上面図である。
【図２】本発明の実施形態のディスク装置の動作を説明する上面図である。
【図３】本発明の実施形態のディスク装置のドライブユニットが上昇した状態を示す側面図である。
【図４】本発明の実施形態のディスク装置のドライブユニットが上昇した状態を示す正面図である。
【図５】本発明の実施形態のディスク装置の動作を説明する上面図である。
【図６】本発明の実施形態のディスク装置のドライブユニットが下降した状態を示す側面図である。
【図７】本発明の実施形態のディスク装置の動作を説明する正面図である。
【図８】ウォームギヤの進み角とトレイをクローズするのに要する力（トレイクローズ力）との関係を示すグラフである。
【図９】本発明の第2実施形態のディスク装置を示す図である。
【符号の説明】
【００７２】
１    ディスク装置
３    トレイ
４    ドライブユニット
５    ピックアップユニット
６    光ピックアップ
７    モータ
８    ウォームギヤ
９、１０  減速ギヤ
９ａ、１０ａ  ウォームホイル
９ｂ、１０ｂ、１１、１２、１３、１４ａ、１４ｂ  平ギヤ
１４    トレイギヤ
１５    減速部
１７    プレートトリガ
１８    カムスライダ
２０    チャック部
【図１】
2005216383.tif 000005
【図２】
2005216383.tif 000006
【図３】
2005216383.tif 000007
【図４】
2005216383.tif 000008
【図５】
2005216383.tif 000009
【図６】
2005216383.tif 000010
【図７】
2005216383.tif 000011
【図８】
2005216383.tif 000012
【図９】
2005216383.tif 000013